【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
遊技球が流下する遊技領域と、その遊技領域を流下する遊技球が入球する入口と、その入口へ入球した遊技球の通過を検出する検出手段とを備え、その検出手段により前記入口を通過する遊技球が検出されると、所定の遊技価値が付与される遊技機において、
前記入口と遊技領域との間に所定空間を有して形成され、前記遊技領域から流入した遊技球を収容する収容部と、
その収容部の前記遊技領域側の開口を開閉すると共に、前記収容部の前記開口を閉鎖する閉姿勢において前記遊技球の流下方向の上流側で且つ前記収容部の前記開口を開放する開姿勢において前記収容部の所定空間内に位置する開閉上流部と、その開閉上流部より前記閉姿勢において前記流下方向の下流側に位置する開閉下流部とを有する開閉部材と、
その開閉部材を回転可能に支持する回転軸と、
その回転軸を中心として前記開閉部材を第１方向に駆動させて前記開姿勢にすると共に、前記回転軸を中心として前記開閉部材を反第１方向に駆動させて前記閉姿勢にする駆動手段と、
前記開閉上流部に凸設される突出部とを備え、
前記開閉部材が開姿勢となると、前記開閉部材の開閉上流部が前記収容部の所定空間内に位置し前記開閉部材の開閉下流部が前記遊技領域に突出すると共に、前記入口より前記遊技領域側に前記突出部が位置し、
前記開閉部材が閉姿勢となると、前記開閉部材の開閉上流部および開閉下流部の前記入口へ遊技球を案内する案内面が前記遊技領域側に位置すると共に、前記突出部が前記遊技領域に突出することを特徴とする遊技機。
【請求項２】
前記入口は、前記収容部の開口面に平行する方向で且つ前記遊技球の流下方向に直交する方向となる第２方向において前記収容部の開口の中央から離れた位置に設けられ、
前記突出部は、前記開閉部材の前記第２方向において、前記入口が設けられた側の第１の端部からその第１の端部に対向する第２の端部側に向かって延設されることを特徴とする請求項１記載の遊技機。
【請求項３】
前記開閉上流部には、前記第１の端部から前記第２の端部側に向かって溝幅が広くなると共に、前記開閉部材が前記開姿勢となった状態で前記２の端部側から前記第１の端部に向かって下降傾斜する溝部が形成されていることを特徴とする請求項２記載の遊技機。
【請求項４】
前記突出部は、前記開閉部材が前記開姿勢となった状態で、その開閉部材から突出した先端と前記収容部の開口の上流側の縁との最短距離が、前記遊技球の直径より短くなる長さに形成されていることを特徴とする請求項１から３のいずれかに記載の遊技機。
【手続補正２】
【補正対象書類名】明細書
【補正対象項目名】０００３
【補正方法】変更
【補正の内容】
【０００３】
この大当たりが発生すると、特定の入口に付随する１枚扉が所定回数開閉動作して、多くの賞球が払い出される。１枚扉の開閉動作は、下端が回転軸となり、上端が遊技領域側（特定の入口とは反対側）に回動して行われる。また、１枚扉と特定の入口との間には、球を収容する収容空間が設けられており、１枚扉が開姿勢となると、その１枚扉により遊技領域を流下する球が受け止められ、収容空間内に球が流入する。収容空間に流入された球は、特定の入口方向へ誘導され、特定の入口に入球した球の通過が球検出センサにより検出されると、賞球が払い出される。１枚扉は、開姿勢の状態で所定数（例えば１０個）の球の通過が球検出センサにより検出されると閉姿勢となり（１枚扉の１回の開閉動作で１ラウンド）、この１枚扉の開閉動作が所定回数（例えば１６ラウンド）行われると、大当たりが終了する。
【手続補正３】
【補正対象書類名】明細書
【補正対象項目名】０００４
【補正方法】変更
【補正の内容】
【０００４】
上述したパチンコ機は、１枚扉が遊技領域側に回動して所定数の球の通過が球検出センサにより検出されると、１枚扉が開姿勢から閉姿勢に回動するが、所定数の最後の球（例えば１０個目の球）が球検出センサにより検出されるとき、既に収容空間内に球が収容されていることがある。そのため、１枚扉の１回の開閉動作で必要以上の球が入球してしまうことがあった。
【手続補正４】
【補正対象書類名】明細書
【補正対象項目名】０００５
【補正方法】変更
【補正の内容】
【０００５】
また、１枚扉は下端を回転軸として上端が遊技領域側から回動して開姿勢から閉姿勢となるので、１枚扉が閉姿勢に回動する際には、その１枚扉と収容空間の遊技領域側の開口との間で、収容空間に流入する球を挟んでしまうこともある。１枚扉と収容空間の開口との間に球が挟まると、１枚扉が閉姿勢に回動したにも関わらず、収容空間の開口が閉鎖されないので、必要以上の球が入球してしまうことがあった。
【手続補正５】
【補正対象書類名】明細書
【補正対象項目名】０００６
【補正方法】変更
【補正の内容】
【０００６】
さらに、１枚扉が閉姿勢に回動するタイミングで流下する球を受け止めると、その衝突の力が１枚扉を開姿勢にする方向に作用するので、１枚扉が閉姿勢となるまでの時間が長引くこともある。よって、１枚扉の開姿勢の状態が長くなるので、１枚扉に衝突した最後の球を収容空間に誘導するだけでなく、さらに球が収容空間に収容され易くなってしまい、必要以上の球が入球してしまうことがあった。
【手続補正６】
【補正対象書類名】明細書
【補正対象項目名】０００７
【補正方法】変更
【補正の内容】
【０００７】
一般的に、パチンコ機は、遊技領域に打ち込まれた発射数および遊技者に払い出される賞球数などの各条件に基づいて予め大当たりの抽選確率などの仕様が設定されているので、賞球の払出数が最も多くなる大当たり時の賞球数にばらつきが大きいと、抽選確率を設定する際に参照された条件と、実際に遊技された場合の条件とが異なってしまう。よって、１枚扉を付随した入口に入球する球数にばらつきが大きいと、予め定めた仕様とは異なる意図しない仕様のパチンコ機となり易いという問題点があった。
【手続補正７】
【補正対象書類名】明細書
【補正対象項目名】０００８
【補正方法】変更
【補正の内容】
【０００８】
本発明は、上記例示した問題点等を解決するためになされたものであり、扉式の入口に入球する遊技球数のばらつきを抑えることができる遊技機を提供することを目的としている。
【手続補正８】
【補正対象書類名】明細書
【補正対象項目名】０００９
【補正方法】変更
【補正の内容】
【０００９】
この目的を達成するために請求項１記載の遊技機は、遊技球が流下する遊技領域と、その遊技領域を流下する遊技球が入球する入口と、その入口へ入球した遊技球の通過を検出する検出手段とを備え、その検出手段により前記入口を通過する遊技球が検出されると、所定の遊技価値が付与されるものであり、前記入口と遊技領域との間に所定空間を有して形成され、前記遊技領域から流入した遊技球を収容する収容部と、その収容部の前記遊技領域側の開口を開閉すると共に、前記収容部の前記開口を閉鎖する閉姿勢において前記遊技球の流下方向の上流側で且つ前記収容部の前記開口を開放する開姿勢において前記収容部の所定空間内に位置する開閉上流部と、その開閉上流部より前記閉姿勢において前記流下方向の下流側に位置する開閉下流部とを有する開閉部材と、その開閉部材を回転可能に支持する回転軸と、その回転軸を中心として前記開閉部材を第１方向に駆動させて前記開姿勢にすると共に、前記回転軸を中心として前記開閉部材を反第１方向に駆動させて前記閉姿勢にする駆動手段と、前記開閉上流部に凸設される突出部とを備え、前記開閉部材が開姿勢となると、前記開閉部材の開閉上流部が前記収容部の所定空間内に位置し前記開閉部材の開閉下流部が前記遊技領域に突出すると共に、前記入口より前記遊技領域側に前記突出部が位置し、前記開閉部材が閉姿勢となると、前記開閉部材の開閉上流部および開閉下流部の前記入口へ遊技球を案内する案内面が前記遊技領域側に位置すると共に、前記突出部が前記遊技領域に突出する。
【手続補正９】
【補正対象書類名】明細書
【補正対象項目名】００１０
【補正方法】変更
【補正の内容】
【００１０】
請求項２記載の遊技機は、請求項１記載の遊技機において、前記入口は、前記収容部の開口面に平行する方向で且つ前記遊技球の流下方向に直交する方向となる第２方向において前記収容部の開口の中央から離れた位置に設けられ、前記突出部は、前記開閉部材の前記第２方向において、前記入口が設けられた側の第１の端部からその第１の端部に対向する第２の端部側に向かって延設される。
請求項３記載の遊技機は、請求項２記載の遊技機において、前記開閉上流部には、前記第１の端部から前記第２の端部側に向かって溝幅が広くなると共に、前記開閉部材が前記開姿勢となった状態で前記２の端部側から前記第１の端部に向かって下降傾斜する溝部が形成されている。
請求項４記載の遊技機は、請求項１から３のいずれかに記載の遊技機において、前記突出部は、前記開閉部材が前記開姿勢となった状態で、その開閉部材から突出した先端と前記収容部の開口の上流側の縁との最短距離が、前記遊技球の直径より短くなる長さに形成されている。
【手続補正１０】
【補正対象書類名】明細書
【補正対象項目名】００１１
【補正方法】変更
【補正の内容】
【００１１】
請求項１記載の遊技機によれば、遊技領域に打ち込まれた遊技球が入口に入球し、その入球した遊技球が検出手段により検出されると、所定の遊技価値が付与される。収容部の開口は、開閉部材により開閉され、その開閉部材は、駆動手段により回転軸が第１方向に駆動されると開姿勢となり、駆動手段により回転軸が反第１方向に駆動されると閉姿勢となる。また、開閉部材は、開閉上流部と開閉下流部とを有しており、回転軸が第１方向に駆動されて開姿勢となると、開閉上流部が収容部の所定空間内に位置すると共に開閉下流部が遊技領域に位置するので、遊技領域を流下する遊技球は、遊技領域に突出した開閉下流部により受け止められ、その受け止められた遊技球が収容部の所定空間に位置する開閉上流部を通り入口へ案内され入球がなされる。また、回転軸が反第１方向に駆動されて開閉部材が閉姿勢となると、開閉上流部および開閉下流部の遊技球の案内面が遊技領域に位置するので、開姿勢から閉姿勢に回動する際に開閉上流部を通過している未入球の遊技球を収容部から遊技領域に排出することができる。従って、必要な遊技球の通過が検出手段により検出された場合に開閉部材を閉姿勢へ回動させることで、必要以上の遊技球が入口に入球することを抑制することができるという効果がある。
【手続補正１１】
【補正対象書類名】明細書
【補正対象項目名】００１２
【補正方法】変更
【補正の内容】
【００１２】
特に、遊技領域に打ち込まれる遊技球数に対して付与される遊技価値が予め定められている場合には、１回の開閉部材の開閉動作で入口に入球する遊技球数にばらつきがあると、予め定めた遊技機の仕様とは異なる意図しない仕様の遊技機となってしまう。しかし、本遊技機によれば、１回の開閉動作で必要以上の遊技球が入口に入球することを抑制できるので、入球する遊技球数のばらつきを少なくでき、予め定めた遊技機の仕様に対して極端に異なる仕様の遊技機となることを低減することができるという効果がある。
【手続補正１２】
【補正対象書類名】明細書
【補正対象項目名】００１３
【補正方法】変更
【補正の内容】
【００１３】
また、開閉上流部および開閉下流部は、遊技球を入口へ案内する案内面となるので、その案内面に汚れなどが付着していると遊技球がスムーズに動作できず、入球に時間がかかったり遊技球が詰まってしまう場合があるが、開閉部材が閉姿勢となると、開閉上流部および開閉下流部の案内面が遊技領域側に位置するので、汚れを発見した場合に簡単に除去が行える。よって、案内面の汚れなどによって遊技球がスムーズに流れずに入球までに時間がかかったり遊技球が詰まったりすることを低減することができるという効果がある。また、例えば、遊技球が汚れなどにより開閉上流部または開閉下流部の案内面に付着してしまった場合には、遊技者が遊技を続行することで付着した遊技球と流下する遊技球が接触して、その付着した遊技球を自然に落下させることができる。よって、付着した遊技球を取り除くために遊技を中断する回数が少なくなるので、遊技者に不快感を与えることを低減する遊技機を提供することができるという効果がある。
【手続補正１３】
【補正対象書類名】明細書
【補正対象項目名】００１４
【補正方法】変更
【補正の内容】
【００１４】
また、開閉部材は、開姿勢の状態で遊技球を開閉下流部で受け止めるているので、遊技球が開閉下流部に衝突して生じる力は、開閉下流部が閉姿勢に回動する方向に作用する。従って、遊技球を受ける際に作用する力によって開閉部材の閉姿勢への回動の妨げとなることがないのでスムーズな閉動作が行え、必要以上の遊技球が入口に入球することを抑制することができるという効果がある。
【手続補正１４】
【補正対象書類名】明細書
【補正対象項目名】００１５
【補正方法】変更
【補正の内容】
【００１５】
また、突出部は、開閉部材が開姿勢となると、入口より遊技領域側に位置するので、その突出部に接触した遊技球は、入口へ入球する前に一旦速度が減速される。一般的に、遊技球が勢い良く入口に入球すると、その遊技球がばたつくので、１の遊技球の通過を複数の遊技球の通過と誤検出してしまったり、検出手段を破損してしまうなどの弊害が生じやすくなるが、開閉下流部が受け止めた遊技球の少なくとも一部は突出部との接触により入口への入球の前に減速されるので、上記弊害の発生を低減することができるという効果がある。また、収容部内を通過する遊技球の速度を減速できばたつきを抑制できるので、開閉部材が収容部に遊技球を収納する方向に動作する場合に比べて、開閉部材が閉動作する際に収容部の開口と開閉部材との間で遊技球を挟んでしまうことが少なくなる。従って、開口部材が閉姿勢に回動したにも関わらず、収容部の開口と開閉部材との間が挟まれた遊技球によって開放されたままとなり、必要以上の遊技球が入口に入球することを低減することができるという効果がある。さらに、突出部は、開閉部材が閉姿勢となると、遊技領域に突出するので、遊技領域を流下する遊技球の一部が突出部と接触して、その流下速度が減速される。よって、開閉部材より下流側に位置する他の入口や役物などに衝突する際のエネルギーが抑制されるので、その下流側に位置する他の入口や役物が損傷することを少なくすることができるという効果がある。
【手続補正１５】
【補正対象書類名】明細書
【補正対象項目名】００１６
【補正方法】変更
【補正の内容】
【００１６】
ここで、従来の一枚扉のように、下端が回転軸となり上端が遊技領域側に回動する場合には、例えば、遊技領域の下方から板状部材（又は線状部材）などを侵入させ、一枚扉の上端に板状部材を引っ掛けて強制的に回動させて、必要以上の遊技球を入口に入球させる行為が行われることも考えられる。しかし、本遊技機によれば、開閉部材の上端に板状部材を引っ掛けて回動させようとした場合には、開閉下流部が遊技領域側に突出するように回動するので、板状部材の引っかかりを解除したり切断することができ、強制的に開閉部材を回動させる行為を困難にすることができる。よって、開閉部材が強制的に回動させられて必要以上の球が入口に入球させられる行為を低減することができるという効果がある。
【手続補正１６】
【補正対象書類名】明細書
【補正対象項目名】００１７
【補正方法】変更
【補正の内容】
【００１７】
請求項２記載の遊技機によれば、請求項１記載の遊技機の奏する効果に加え、収容部の開口の中央から離れた位置に入口が形成され、その入口が設けられた側の第１の端部から対向する第２の端部側に突出部が延設されているので、開閉下流部に受け止められた遊技球の大半は、突出部と接触して収納部への進入速度が減速された後に、第２の端部側から開閉上流部を通過して入口に入球する。よって、遊技球が入口に達するまでの距離が長くなるので遊技球の整流効果が高くなり、その結果、球のばたつきを低減でき遊技球の通過数の誤検出や検出手段の破損の発生を低減することができるという効果がある。
請求項３記載の遊技機によれば、請求項２記載の遊技機の奏する効果に加え、開閉上流部には、第１の端部から第２の端部側に向かって溝幅が広くなると共に第２の端部側から第１の端部に向かって下降傾斜した溝部が形成されているので、開閉上流部を通過する遊技球は溝部により入口方向へ誘導される。さらに、入口に近づくにつれて溝幅が狭くなるので、溝部を通過する遊技球の整流効果を高めることができるという効果がある。また、第２の端部側の溝幅が広くなっているので、開閉下流部から開閉上流部に流れた遊技球が溝部に進入し易い構造となっている。第２の端部側の溝部の溝幅が狭いと、その溝部に遊技球が進入しづらくなり、開閉上流部と開閉下流部との間で遊技球が停留してしまったりばたつくことが考えられるが、第２の端部側の溝部の溝幅が広くなっているので、遊技球が溝部内にスムーズに案内され、遊技球が停留したりばたつくことを低減することができるという効果がある。
請求項４記載の遊技機によれば、請求項１から３のいずれかに記載の遊技機の奏する効果に加え、開閉部材が開姿勢となった状態で、その開閉部材から突出した突出部の突出先端と収容部の開口の上流側の縁との最短距離が、遊技球の直径より短くなる長さに形成されているので、開閉下流部に受け止められた遊技球が突出部の突出先端を飛び越えて直接収容部に収容されることを防止できる。よって、開閉下流部に受け止められた遊技球は、突出部の先端を越えずに第２の端部側に誘導されので、遊技球が入口まで誘導される距離が長くなり、遊技球の整流効果を高めることができるという効果がある。
【手続補正１７】
【補正対象書類名】明細書
【補正対象項目名】００１８
【補正方法】変更
【補正の内容】
【００１８】
なお、本発明の遊技機において、抽選手段による抽選結果が特定の抽選結果となった場合に特別遊技が実行され、その特別遊技中に開閉部材の開閉動作が所定回数行われる場合には、１回の開閉動作で必要以上の遊技球が入口に入球すると、その分特別遊技で付与される遊技価値にばらつきが生じてしまう。しかし、本発明の遊技機によれば、１回の開閉動作で必要以上の遊技球が入口に入球することを低減できるので、特別遊技で付与する遊技価値のばらつきを少なくすることができる。その結果、予め定めた遊技機の仕様に対して極端に異なる仕様の遊技機となることを低減することができるという効果がある。
【手続補正１８】
【補正対象書類名】明細書
【補正対象項目名】０２４５
【補正方法】変更
【補正の内容】
【０２４５】
１０              パチンコ機（遊技機）
１１０            主制御装置
２０７            特定入賞口検出スイッチ（検出手段）
６５１，１６５１  開口（収容部の開口）
６６０，１６６０  開閉扉（開閉部材）
６６１，１６６１  回転軸
６６５            突出部
６６６，１６６６  溝（溝部）
６７２，１６７２  特定入賞口（入口の１つ）
６７４            駆動モータ（駆動手段）
６７７，１７７７  収容空間（収容部）
１７００          流入部材
Ａ                開閉扉の開姿勢への回動方向（第１方向）
Ｂ                開閉扉の閉姿勢への回動方向（反第１方向）
Ｘ                水平方向（第２方向）
Ｙ                上下方向（流下方向）